(57)【要約】【課題】シンク機にソース機が接続された状態において、ソース機が意図せずにスタンバイ状態や電源オフ状態に遷移してしまうことをシンク機側から防止する。【解決手段】ソース機１００が出力した映像信号、音声信号の少なくともいずれかを受信するＨＤＭＩレシーバー２０１と、受信した映像／音声信号に基づく所定の処理を実行する投影処理部２１５と、ソース機１００との接続状態を検出する接続検出手段（５Ｖ検知部２１０、ＨＰＤ制御部２１１、ＥＤＩＤ記憶部２０５、ＨＤＭＩレシーバー２０１）と、該接続検出手段がソース機１００との接続を検出した場合に、ソース機１００に対し、ソース機１００が所定条件下で行う省電力状態への移行を停止させる命令を含む制御信号を出力する制御信号出力手段（ＣＥＣ制御部２１２および制御部２１３）と、を備える。【選択図】図２
2015082797.tif 000002
【特許請求の範囲】
【請求項１】
信号出力装置が出力した映像信号、音声信号の少なくともいずれかを受信する信号受信手段と、
受信した映像／音声信号に基づく所定の処理を実行する信号処理手段と、
前記信号出力装置との接続状態を検出する接続検出手段と、
該接続検出手段が前記信号出力装置との接続を検出した場合に、前記信号出力装置に対し、該信号出力装置が所定条件下で行う省電力状態への移行を停止させる命令を含む制御信号を出力する制御信号出力手段と、
を備えることを特徴とする信号受信装置。
【請求項２】
前記省電力状態への移行を停止させる命令を含む制御信号は、前記信号出力装置が所定時間経過時に省電力状態への移行を行うためにカウントしているカウンタをリセットさせる命令を含むことを特徴とする請求項１に記載の信号受信装置。
【請求項３】
前記制御信号出力手段は、前記省電力状態への移行を停止させる命令を含む制御信号を所定間隔で出力することを特徴とする請求項１または２のいずれかに記載の信号受信装置。
【請求項４】
前記制御信号出力手段は、前記信号出力装置に対し、該信号出力装置が省電力状態への移行までの時間を要求する制御信号を出力し、
該制御信号に対する応答として省電力状態への移行までの時間を受信した場合は、該時間に基づいて、前記省電力状態への移行を停止させる命令を含む制御信号を出力することを特徴とする請求項１または２のいずれかに記載の信号受信装置。
【請求項５】
前記制御信号出力手段は、前記信号出力装置に対し、省電力状態への移行を停止させる命令を含む制御信号を出力した後、
該信号受信装置の電力状態が変化した場合に、前記信号出力装置に対し、省電力状態への移行の停止を解除させる命令を含む制御信号を出力することを特徴とする請求項１に記載の信号受信装置。
【請求項６】
少なくとも映像信号、音声信号のいずれかを出力する信号出力手段と、所定条件下で省電力状態への移行を行う省電力移行制御手段と、を備えた信号出力装置と、
請求項１から５までのいずれかに記載の信号受信装置と、
が、通信インタフェースを介して接続されたことを特徴とする信号送受信システム。
【請求項７】
少なくとも映像信号、音声信号のいずれかを出力する信号出力手段と、所定条件下で省電力状態への移行を行う省電力移行制御手段と、を備えた信号出力装置と、
該信号出力装置が出力した映像／音声信号を受信する信号受信手段と、受信した映像／音声信号に基づく所定の処理を実行する信号処理手段と、を備えた信号受信装置と、
が、通信インタフェースを介して接続された信号送受信システムにおいて、
前記信号出力装置は、さらに、
前記信号受信装置との接続状態を検出する接続検出手段を備え、
前記信号受信装置は、さらに、
前記信号出力装置との接続状態を検出する接続検出手段と、
該接続検出手段が前記信号出力装置との接続を検出した場合に、前記信号出力装置に対し、前記省電力移行制御手段による省電力状態への移行を停止させる命令を含む制御信号を出力する制御信号出力手段と、を備え、
前記信号出力装置の前記省電力移行制御手段は、前記省電力状態への移行を停止させる命令を含む制御信号を受信して、省電力状態への移行不可となった状態において、前記信号受信装置との接続状態の変化を検出した場合に、省電力状態への移行可能な状態に復帰することを特徴とする信号送受信システム。
【請求項８】
少なくとも映像信号、音声信号のいずれかを出力する信号出力手段と、所定条件下で省電力状態への移行を行う省電力移行制御手段と、を備えた信号出力装置と、
該信号出力装置が出力した映像／音声信号を受信する信号受信手段と、受信した映像／音声信号に基づく所定の処理を実行する信号処理手段と、を備えた信号受信装置と、
が、通信インタフェースを介して接続された信号送受信システムにおいて、
前記信号出力装置の前記省電力移行制御手段は、該信号出力装置の設定状態または前記通信インタフェースによる接続状態が所定の状態であるか否かに基づいて、省電力状態への移行を停止する制御をすることを特徴とする信号送受信システム。
【請求項９】
前記省電力移行制御手段は、前記信号受信装置からＥＤＩＤ（Extended  display  identification  data）を取得可能な場合は、省電力状態への移行を停止する制御をすることを特徴とする請求項８に記載の信号送受信システム。
【請求項１０】
前記省電力移行制御手段は、前記信号受信装置からホットプラグ検出機能がＨｉｇｈであることを受信した場合は、省電力状態への移行を停止する制御をすることを特徴とする請求項８に記載の信号送受信システム。
【請求項１１】
前記省電力移行制御手段は、該信号出力装置のモニター設定がシングルディスプレイでない場合は、省電力状態への移行を停止する制御をすることを特徴とする請求項８に記載の信号送受信システム。
【請求項１２】
前記通信インタフェースは、ＨＤＭＩ（High  Definition  Multimedia  Interface）であることを特徴とする請求項５から１１までのいずれかに記載の信号送受信システム。
【請求項１３】
信号出力装置が出力した映像信号、音声信号の少なくともいずれかを受信する信号受信手段と、
受信した映像／音声信号に基づく所定の処理を実行する信号処理手段と、を備えた信号受信装置の信号送受信方法であって、
前記信号受信装置が前記信号出力装置との接続状態を検出した場合に、前記信号出力装置に対し、該信号出力装置が所定条件下で行う省電力状態への移行を停止させる命令を含む制御信号を出力するようにしたことを特徴とする信号送受信方法。
【発明の詳細な説明】
【技術分野】
【０００１】
本発明は、信号受信装置、信号送受信システムおよび信号送受信方法に関する。
【背景技術】
【０００２】
デジタル放送受信機能を有するテレビや、放送を録画、再生する機能を有する録画再生機などのＡＶ（Audio  Visual）機器の分野においては、映像信号、音声信号（以下、映像信号および／または音声信号を映像／音声信号と記す）を出力する信号出力装置としてのソース機と、映像／音声信号が入力される信号受信装置としてのシンク機とを、ＨＤＭＩ（High  Definition  Multimedia  Interface）（登録商標）規格のケーブル（以下、ＨＤＭＩケーブル）によってデジタル接続することが主流となっている。
【０００３】
また、プロジェクタなどの画像投射装置から投射、出力する映像、音声を、パーソナルコンピュータなどの情報処理装置から送信する場合も、ＨＤＭＩ規格が広く採用されており、この場合、情報処理装置がソース機、画像投射装置がシンク機となる。
【０００４】
ＨＤＭＩ規格においては、ＣＥＣ（Consumer  Electronics  Control：家電制御）と呼ばれる制御信号を送受信する規格が定義されており、ＨＤＭＩケーブルを介して制御信号を伝送し、機器間の連携動作を実現することが知られている。
【０００５】
例えば、特許文献１には、映像信号を表示する映像信号表示装置と、映像信号および音声信号の少なくとも一方を含むメディアコンテンツを再生する再生装置と、再生装置からの映像信号または音声信号が入力され、映像信号および／または音声信号を出力するＡＶ増幅装置と、を備える映像音声再生システムにおいて、映像信号表示装置とＡＶ増幅装置とはＨＤＭＩケーブルで接続され、ＡＶ増幅装置と再生装置とはＨＤＭＩケーブルで接続され、ＡＶ増幅装置は、映像信号表示装置からのＣＥＣ規格の信号を制御するＣＥＣ信号制御手段を備える映像音声再生システムが開示されている。
【０００６】
特許文献１に記載の技術は、映像信号表示装置に映像信号が入力されなくなっても、ＨＤＭＩケーブルで接続されたＡＶ増幅装置やその他の再生装置が自動的にパワーオフしないようにしている。
【発明の概要】
【発明が解決しようとする課題】
【０００７】
ソース機やシンク機となる機器では、一般に、所定時間操作されない場合、スタンバイ状態や電源オフ状態などの省電力状態へと移行させて消費電力を抑える技術が採用されていることが多い。
【０００８】
このため、従来のソース機とシンク機が接続されたシステム構成においては、ソース機が一定時間操作されなかった場合、ソース機がスタンバイ状態、電源オフ状態に遷移してしまい、映像／音声信号の出力を止めてしまうことがあった。このため、シンク機側が無信号となったことを判断し、ユーザの意図しない入力、表示の切り替わりや、シンク機もスタンバイ状態や電源オフ状態に遷移してしまうという問題があった。
【０００９】
例えば、情報処理装置をソース機、画像投射装置をシンク機とする構成において、画像投射装置で投射された映像内容について、特に、情報処理装置を操作することなく、所定時間、ユーザに説明等がなされたような場合に、情報処理装置がスタンバイ状態や電源オフ状態に遷移してしまい、画像投射装置から投射される映像が意図せずに切り替わってしまうことが生じていた。
【００１０】
なお、上記の問題は、ソース機とシンク機をＨＤＭＩケーブルで接続する場合に限られるものではなく、ＶＧＡ規格（アナログＲＧＢ端子）等の他の通信規格のケーブルにてソース機とシンク機を接続する場合にも生じ得るものである。
【００１１】
そこで本発明は、信号受信装置（シンク機）に信号出力装置（ソース機）が接続された状態において、接続中に信号出力装置がスタンバイ状態や電源オフ状態に遷移してしまい、映像／音声信号の出力を止めてしまうことを信号受信装置側から防止することができる信号受信装置を提供することを目的とする。
【課題を解決するための手段】
【００１２】
かかる目的を達成するため、本発明に係る信号受信装置は、信号出力装置が出力した映像信号、音声信号の少なくともいずれかを受信する信号受信手段と、受信した映像／音声信号に基づく所定の処理を実行する信号処理手段と、前記信号出力装置との接続状態を検出する接続検出手段と、該接続検出手段が前記信号出力装置との接続を検出した場合に、前記信号出力装置に対し、該信号出力装置が所定条件下で行う省電力状態への移行を停止させる命令を含む制御信号を出力する制御信号出力手段と、を備えるものである。
【発明の効果】
【００１３】
本発明によれば、信号受信装置（シンク機）に信号出力装置（ソース機）が接続された状態において、接続中に信号出力装置がスタンバイ状態や電源オフ状態に遷移してしまい、映像／音声信号の出力を止めてしまうことを信号受信装置側から防止するとともに、信号受信装置の意図しない入力の切り替わりや、信号受信装置がスタンバイ状態や電源オフ状態に遷移してしまうことを防止することができる。
【図面の簡単な説明】
【００１４】
【図１】信号送受信システムの通信制御に係る構成を示す概略図である。
【図２】信号送受信システムにおけるソース機およびシンク機の構成を示す機能ブロック図である。
【図３】信号送受信システムが実行する処理を示すシーケンスチャートである（第１の実施形態）。
【図４】信号送受信システムが実行する処理を示すシーケンスチャートである（第２の実施形態）。
【図５】信号送受信システムが実行する処理を示すシーケンスチャートである（第３の実施形態）。
【図６】信号送受信システムが実行する処理を示すシーケンスチャートである（第４の実施形態）。
【図７】信号送受信システムが実行する処理を示すシーケンスチャートである（第５の実施形態）。
【発明を実施するための形態】
【００１５】
以下、本発明に係る構成を図１から図７に示す実施の形態に基づいて詳細に説明する。
【００１６】
＜第１の実施形態＞
信号受信装置、信号出力装置および信号送受信システムの第１の実施形態について説明する。本実施形態に係る信号受信装置（シンク機２００）は、信号出力装置（ソース機１００）が出力した映像信号、音声信号の少なくともいずれかを受信する信号受信手段（ＨＤＭＩレシーバー２０１）と、受信した映像／音声信号に基づく所定の処理を実行する信号処理手段（投影処理部２１５）と、信号出力装置との接続状態を検出する接続検出手段（５Ｖ検知部２１０、ＨＰＤ制御部２１１、ＥＤＩＤ記憶部２０５、ＨＤＭＩレシーバー２０１）と、該接続検出手段が信号出力装置との接続を検出した場合に、信号出力装置に対し、該信号出力装置が所定条件下で行う省電力状態への移行を停止させる命令を含む制御信号を出力する制御信号出力手段（ＣＥＣ制御部２１２および制御部２１３）と、を備えるものである。
【００１７】
また、本実施形態に係る信号送受信システム（信号送受信システム４００）は、少なくとも映像信号、音声信号のいずれかを出力する信号出力手段（ＨＤＭＩトランスミッター１０１）と、所定条件下で省電力状態への移行を行う省電力移行制御手段（省電力移行制御部１１７）と、を備えた信号出力装置（ソース機１００）と、上記の信号受信装置（シンク機２００）と、が、通信インタフェース（ＨＤＭＩケーブル３００）を介して接続されたものである。なお、括弧内は実施形態での符号、適用例を示す。また、「省電力状態」とは、スタンバイ状態、電源オフ状態、その他映像信号の出力を止める状態をいうものとする。
【００１８】
（システムの通信制御）
図１は、信号送受信システム４００の通信制御に係る構成を示す概略図である。信号送受信システム４００は、映像／音声信号を出力する信号出力装置としてのソース機１００と、映像／音声信号を受信する信号受信装置としてのシンク機２００がＨＤＭＩケーブル３００で接続されている。
【００１９】
なお、本実施形態では、ソース機１００が情報処理装置、シンク機２００が画像投射装置である場合を例に説明する。情報処理装置は、例えば、演算装置としてのＣＰＵ、一時記憶装置としてのＲＡＭ、入力装置としてのキーボードやマウス、記憶装置としてのＨＤＤ、入出力インタフェース等がバスラインを介して接続されたパーソナルコンピュータである。また、画像投射装置は、例えば、光を放射する光源と、画像を形成する画像表示素子と、光源からの光を用いて画像表示素子を照明する照明光学系と、画像表示素子で形成された画像を被投射面に投射する投射光学系と、を備えたプロジェクタである。
【００２０】
ソース機１００は信号変調機、送信機としてのＨＤＭＩトランスミッター１０１を備えている。ＨＤＭＩトランスミッター１０１は、出力する映像信号（Video）１０２や音声信号（Audio）１０３をＴＭＤＳ（Transition  Minimized  Differential  Signaling）データへと変換し、このＴＭＤＳデータがＨＤＭＩケーブル３００のＴＭＤＳチャネル（TMDS_Channel_0,TMDS_Channel_1,TMDS_Channel_2,TMDS_Clock_Channel）３０１〜３０４を介してシンク機２００へと送信される。また、ＨＤＭＩトランスミッター１０１は、図示しないソース機１００の制御部との間で各種の制御／状態信号（Control/Status）１０４がやり取りされる。
【００２１】
また、シンク機２００は信号変調機、受信機としてのＨＤＭＩレシーバー２０１を備えている。ＨＤＭＩレシーバー２０１は、受信したＴＭＤＳデータを映像信号２０２や音声信号２０３に変換し、内部処理を行う。また、ＨＤＭＩレシーバー２０１は、図示しないシンク機２００の制御部との間で各種の制御／状態信号（Control/Status）２０４がやり取りされる。また、ＥＤＩＤ（Extended  display  identification  data：拡張ディスプレイ識別データ）記憶部（EDID  ROM）２０５には、シンク機２００で受信可能な信号情報が記載されている。
【００２２】
ＨＤＭＩケーブル３００にはＴＭＤＳチャネル３０１〜３０４以外にＤＤＣ（Display  Data  Channel）ライン３０５、ＣＥＣライン３０６、ＨＰＤ（Hot  Plug  Detect）ライン３０７、５Ｖライン３０８が用意されている。
【００２３】
ここで、ＤＤＣライン３０５は、ソース機１００からシンク機２００のＥＤＩＤ記憶部２０５のＥＤＩＤを読み取るために使用される。
【００２４】
また、ＣＥＣライン３０６は、ソース機１００とシンク機２００との間でＣＥＣコマンドを通信するために使用される。
【００２５】
また、ＨＰＤライン３０７はシンク機２００がソース機１００に対してＨＰＤ（ホットプラグ検出）の状態がＨｉｇｈまたはＬｏｗであるかを通知するために使用される。なお、ＨＰＤ機能は、ソース機１００とシンク機２００を接続する通信機構であって、ソース機１００はＨＰＤがＨｉｇｈの場合はシンク機２００と接続された状態と判断し、ＨＰＤがＬｏｗの場合はシンク機２００と切断された状態と判断する。
【００２６】
また、５Ｖライン３０８はソース機１００がシンク機２００に対して５Ｖ電源の供給を行うために使用される。
【００２７】
なお、上記の各ライン３０５〜３０８はＨＤＭＩトランスミッター１０１およびＨＤＭＩレシーバー２０１のＩＣ経由で制御されていても、ＩＣを経由せずに制御されていてもよい。
【００２８】
（ソース機／シンク機の構成）
図２は、信号送受信システム４００におけるソース機１００およびシンク機２００の構成を示す機能ブロック図である。
【００２９】
ソース機１００は、シンク機２００に対して５Ｖ信号を出力する５Ｖ出力部１１０と、ＨＰＤの変化を検知するＨＰＤ検知部１１１と、シンク機２００のＥＤＩＤを取得するＥＤＩＤ取得部１１２と、映像／音声信号をＴＭＤＳデータにエンコードして出力するＨＤＭＩトランスミッター１０１と、を備えている。また、ＣＥＣコマンドの通信、解釈、制御を行うＣＥＣ制御部１１３と、ソース機１００や接続されたシンク機２００の各種操作をするための操作部１１４、シンク機２００へ送信するための映像／音声データ、信号を生成する映像／音声生成部１１５と、ソース機１００の全体の動作を制御する制御部１１６と、を備えている。なお、ＨＤＭＩトランスミッター１０１、５Ｖ出力部１１０、ＨＰＤ検知部１１１、ＥＤＩＤ取得部１１２は、ソース機１００の接続検出手段として機能する。
【００３０】
また、制御部１１６は、ソース機１００が所定条件を満たす場合、例えば、所定時間操作がなされない場合に、スタンバイ状態、電源オフ状態、または、その他の映像／音声信号の出力を止める状態（省電力状態）へ移行する省電力移行制御部１１７を備えている。省電力移行制御部１１７は、ソース機１００の操作がされない状態になった時点から省電力カウンタのカウントをはじめ、予め設定された移行時間が経過した（カウンタが所定の値となった）際に、ソース機１００を省電力状態へ移行させる制御を実行するものである。
【００３１】
また、シンク機２００は、ソース機１００から出力された５Ｖ信号を検知する５Ｖ検知部２１０と、ソース機１００に対してＨＰＤの状態（Ｈｉｇｈ／Ｌｏｗ）を通知するＨＰＤ制御部２１１と、シンク機２００で受信可能な信号情報が記載されたＥＤＩＤを記憶するＥＤＩＤ記憶部２０５と、を備えている。また、受信したＴＭＤＳデータをデコードし、映像／音声信号を取得するＨＤＭＩレシーバー２０１と、ＣＥＣコマンドの通信、解釈、制御を行うＣＥＣ制御部２１２、シンク機２００の全体の動作を制御する制御部２１３、受信した映像／音声を投影するための処理を行う投影処理部２１５と、を備えている。
【００３２】
また、シンク機２００の制御部２１３も所定時間操作がなされない場合、シンク機２００を省電力状態へ移行させる省電力移行制御部２１４を備えている。
【００３３】
（省電力移行防止制御）
図３は、本実施形態に係る信号送受信システムが実行するソース機の省電力移行防止制御の一例を示すシーケンスチャートである。
【００３４】
ソース機１００およびシンク機２００は既に起動している状態とし、ソース機１００では操作がなされずに、省電力移行制御部１１７により、省電力移行に向けてカウントアップが開始されているとする（Ｓ１０１）。
【００３５】
ここで、ＨＤＭＩケーブル３００にてソース機１００とシンク機２００とを接続すると、映像／音声等を送出するための接続シーケンス処理（Ｓ１０２〜Ｓ１０６）が実行される。接続シーケンス処理では、先ず、ＨＤＭＩケーブル３００を通じてソース機１００からシンク機２００に対して５Ｖ信号が出力される（Ｓ１０２）。
【００３６】
次いで、５Ｖ信号を検出したシンク機２００は、ＨＰＤの状態をＬｏｗからＨｉｇｈに制御する（Ｓ１０３）。ソース機１００において、ＨＰＤがＨｉｇｈになっていることを検知すると、ソース機１００はシンク機２００で保持されているＥＤＩＤの要求処理を実行し（Ｓ１０４）、シンク機２００がＥＤＩＤを応答する（Ｓ１０５）ことで、ソース機１００は、ＥＤＩＤを取得する。
【００３７】
シンク機２００からＥＤＩＤを取得したソース機１００は、ＥＤＩＤに記載された解像度や周波数に基づいて出力可能な信号を判断し、シンク機２００に対して映像／音声信号を出力する（Ｓ１０６）。
【００３８】
なお、省電力移行のカウントアップ開始（Ｓ１０１）と、接続シーケンス処理（Ｓ１０２〜Ｓ１０６）の前後関係は問わない。また、接続シーケンス処理内の処理順は上記の例に限られるものではない。
【００３９】
以上の接続シーケンス処理（Ｓ１０２〜Ｓ１０６）の完了後、シンク機２００の投影処理部２１５は、受信した映像／音声信号に基づいて投影処理を実行する（Ｓ１０７）。
【００４０】
シンク機２００の制御部２１３は、５Ｖ検知部２１０が５Ｖ信号を検知し、かつ、ＨＤＭＩレシーバー２０１が映像／音声信号を検知している場合（Ｓ１０８：Ｙｅｓ）、投影処理部２１５にて投影を行なっていると判断し、ＣＥＣ制御部２１２からソース機１００が省電力状態に移行しないようするための制御信号（以下、省電力移行防止の制御信号という）を出力する（Ｓ１０９）。この省電力移行防止の制御信号は、ソース機１００の省電力移行制御部１１７がカウントしている省電力移行カウンタの値をリセットさせるための命令を含んだ制御信号である。
【００４１】
一方、５Ｖ検知部２１０が５Ｖ信号を検知していない場合、またはＨＤＭＩレシーバー２０１が映像／音声信号を検知していない場合（Ｓ１０８：Ｎｏ）、省電力移行防止の制御信号を出力しない（Ｓ１１０）。
【００４２】
ソース機１００のＣＥＣ制御部１１３は、省電力移行防止の制御信号を受信した場合、命令内容に従って省電力移行制御部１１７がカウントしている省電力移行カウンタの値をリセットする（Ｓ１１１）。
【００４３】
以降、シンク機２００の制御部２１３は、所定間隔で５Ｖ信号、映像／音声信号の検知状態を確認し、検知状態に従って上記と同様の処理を繰り返し（Ｓ１１２〜Ｓ１１４）、省電力移行防止の制御信号を受信したソース機１００も同様の処理を実行する(Ｓ１１５)。
【００４４】
なお、本実施形態では、所定間隔で５Ｖ信号、映像／音声信号の検知状態の確認処理（Ｓ１０８、Ｓ１１２）を実行するようにしているが、シンク機２００に予め設定された時間で実行するものであっても良い。また、この所定間隔は、ユーザが任意に設定できるようにしても良い。なお、ソース機１００が省電力移行を行う所定時間の値が既知である場合は、それ以下の間隔に設定することが好ましい。
【００４５】
以上説明した本実施形態に係る信号送受信システムによれば、ソース機とシンク機がＨＤＭＩケーブルで接続されている際に、シンク機からソース機に対して信号を受信している旨の通知（省電力移行防止の制御信号）を行い、ソース機は通知を受信している間は一定時間操作されていなかったとしても省電力状態への移行を行わないよう制御するので、ソース機が省電力状態に移行してしまい、映像／音声信号の出力を止めてしまうことを防止することができる。したがって、シンク機での意図しない入力、表示画面の切り替わり等を防止することができる。また、シンク機が所定時間、操作等がされない場合に省電力移行をする設定である場合には、シンク機がスタンバイ状態や電源オフ状態に移行してしまうことを防止することができる。
【００４６】
＜第２の実施形態＞
以下、本発明に係る信号受信装置および信号送受信システムの他の実施形態について説明する。なお、上記実施形態と同様の点についての説明は適宜省略する。
【００４７】
図４は、第２の実施形態に係る信号送受信システムが実行するソース機の省電力移行防止制御の一例を示すシーケンスチャートである。ＨＤＭＩケーブルの接続から投影処理まで（Ｓ２０１〜Ｓ２０７）は、図３のＳ１０１〜Ｓ１０７にそれぞれ対応する処理であるため説明は省略する。
【００４８】
シンク機２００の制御部２１３は、５Ｖ検知部２１０が５Ｖ信号を検知し、かつ、ＨＤＭＩレシーバー２０１が映像／音声信号を検知している場合（Ｓ２０８：Ｙｅｓ）、投影処理部２１５にて投影を行なっていると判断し、ＣＥＣ制御部２１２からソース機１００が省電力状態に移行するまでの残り時間（または設定された移行時間（時分秒））を要求する制御信号（以下、省電力移行時間要求の制御信号）を出力する（Ｓ２０９）。この省電力移行時間要求の制御信号は、ソース機１００の省電力移行制御部１１７がカウントしている省電力移行への残り時間をシンク機２００に応答させるための命令を含んだ制御信号である。
【００４９】
一方、５Ｖ検知部２１０が５Ｖ信号を検知していない場合、またはＨＤＭＩレシーバー２０１が映像／音声信号を検知していない場合（Ｓ２０８：Ｎｏ）、移行時間要求の制御信号を出力しない（Ｓ２１０）。
【００５０】
ソース機１００のＣＥＣ制御部１１３は、省電力移行時間要求の制御信号を受信した場合、命令内容に従って省電力移行制御部１１７がカウントしている省電力移行カウンタの値に基づいて、ソース機１００が省電力状態に移行するまでの時間を取得し、シンク機２００へ応答する（Ｓ２１１）。
【００５１】
応答を受けたシンク機２００のＣＥＣ制御部２１２は、この時間を省電力移行防止の制御信号の出力のタイミングとして記憶する（Ｓ２１２）。
【００５２】
シンク機２００の制御部２１３は、ＣＥＣ制御部２１２に記憶された時間になり（Ｓ２１３：Ｙｅｓ）、５Ｖ検知部２１０が５Ｖ信号を検知し、かつ、ＨＤＭＩレシーバー２０１が映像／音声信号を検知している場合（Ｓ２１４：Ｙｅｓ）、投影処理部２１５にて投影を行なっていると判断し、ＣＥＣ制御部２１２から省電力移行防止の制御信号を出力する（Ｓ２１５）。
【００５３】
一方、５Ｖ検知部２１０が５Ｖ信号を検知していない場合、またはＨＤＭＩレシーバー２０１が映像／音声信号を検知していない場合（Ｓ２１４：Ｎｏ）、省電力移行防止の制御信号を出力しない（Ｓ２１６）。
【００５４】
ソース機１００のＣＥＣ制御部１１３は、省電力移行防止の制御信号を受信した場合、命令内容に従って省電力移行制御部１１７がカウントしている省電力移行カウンタの値をリセットする（Ｓ２１７）。
【００５５】
本実施形態に係る信号送受信システムによれば、ソース機が省電力移行するまでの時間をシンク機が取得するようにし、その時間に合わせシンク機からソース機に対し、省電力移行防止の制御信号を出力するようにしているので、所定時間間隔で制御信号を出力する場合に比べて、必要最低限の通信回数、通信量で省電力移行を防止することができる。
【００５６】
＜第３の実施形態＞
図５は、第３の実施形態に係る信号送受信システムが実行するソース機の省電力移行防止制御の一例を示すシーケンスチャートである。ＨＤＭＩケーブルの接続から投影処理まで（Ｓ３０１〜Ｓ３０７）は、図３のＳ１０１〜Ｓ１０７にそれぞれ対応する処理であるため説明は省略する。
【００５７】
シンク機２００の制御部２１３は、５Ｖ検知部２１０が５Ｖ信号を検知し、かつ、ＨＤＭＩレシーバー２０１が映像／音声信号を検知している場合（Ｓ３０８：Ｙｅｓ）、投影処理部２１５にて投影を行なっていると判断し、ＣＥＣ制御部２１２からソース機１００が省電力状態への移行を不可とするための制御信号（以下、省電力移行停止の制御信号という）を出力する（Ｓ３０９）。この省電力移行停止の制御信号は、ソース機１００の省電力移行制御部１１７が、再び省電力状態への移行を可能とする制御を行うまで、省電力状態への移行の実行を不可とするための命令を含んだ制御信号である。
【００５８】
一方、５Ｖ検知部２１０が５Ｖ信号を検知していない場合、またはＨＤＭＩレシーバー２０１が映像／音声信号を検知していない場合（Ｓ３０８：Ｎｏ）、省電力移行停止の制御信号を出力しない（Ｓ３１０）。
【００５９】
ソース機１００のＣＥＣ制御部１１３は、省電力移行停止の制御信号を受信した場合、命令内容に従って省電力移行制御部１１７での省電力移行カウンタのカウンタを停止して、シンク機２００の電力状態や、ソース機１００とシンク機２００の接続状態が変化するまで省電力状態への移行の実行を不可とした状態で制御する（Ｓ３１１）。
【００６０】
この省電力状態への移行不可が解除される２つのパターンについて説明する。Ｓ３１２〜Ｓ３１５をパターン（１）、Ｓ３１６〜Ｓ３１８をパターン（２）とする。２つのパターンのいずれかが実行されることで省電力状態への移行不可が解除されるものである。なお、省電力状態への移行不可を解除する例は、以下のパターンに限られるものではない。
【００６１】
パターン（１）：シンク機２００の制御部２１３は、ユーザがシャットダウン操作等を行ってシンク機２００の電力状態が変化した場合（Ｓ３１２：Ｙｅｓ）、ＣＥＣ制御部２１２にて省電力移行停止状態を解除するための省電力移行解除の制御信号を出力する（Ｓ３１３）。一方、電力状態が変化していない場合（Ｓ３１２：Ｎｏ）、省電力移行解除の制御信号を出力しない（Ｓ３１４）。
【００６２】
ソース機１００のＣＥＣ制御部１１３は、省電力移行解除の制御信号を受信した場合、命令内容に従って省電力移行制御部１１７での省電力状態への移行が可能となるように制御する（Ｓ３１５）。例えば、省電力移行カウンタのカウントアップを開始するものである。
【００６３】
パターン（２）：ソース機１００の制御部１１６が、ＨＤＭＩケーブル３００が抜かれ、シンク機２００との接続が切断されたことを検知した場合（Ｓ３１６：Ｙｅｓ）、省電力移行制御部１１７での省電力移行処理が可能となるように制御する（Ｓ３１７）。一方、ＨＤＭＩケーブル３００が抜かれていない場合（Ｓ３１６：Ｎｏ）は、このような制御を実行しない（Ｓ３１８）。このパターン（２）では、省電力移行解除の制御信号の送受信はなされない。
【００６４】
本実施形態に係る信号送受信システムによれば、ソース機は、シンク機との接続状態、または、シンク機の電源状態が変化していない場合は、ソース機が省電力状態に移行しないようにするので、必要最低限の通信回数、通信量で省電力移行を防止することができる。
【００６５】
＜第４の実施形態＞
図６は、第４の実施形態に係る信号送受信システムが実行するソース機の省電力移行防止制御の一例を示すシーケンスチャートである。ＨＤＭＩケーブルの接続から投影処理まで（Ｓ４０１〜Ｓ４０７）は、図３のＳ１０１〜Ｓ１０７にそれぞれ対応する処理であるため説明は省略する。
【００６６】
本実施形態では、ソース機１００の制御部１１６が、ＥＤＩＤ取得部１１２でＥＤＩＤが取得できる状態であることを認識している場合（Ｓ４０８：Ｙｅｓ）、省電力移行制御部１１７による省電力状態への移行の実行を不可とした状態で制御し（Ｓ４０９）、ＥＤＩＤが取得できない状態であることを認識している場合（Ｓ４０８：Ｎｏ）、省電力移行制御部１１７で省電力状態への移行が可能となるように制御する（Ｓ４１０）。
【００６７】
本実施形態に係る信号送受信システムによれば、ＥＤＩＤを取得できるか否かに基づいて、ソース機がシンク機と接続されているか否かの判定を行うようにしているので、制御信号をやりとりすることなく、状態制御が可能となる。
【００６８】
なお、ここまでの実施形態では、ソース機１００とシンク機２００との通信を、ＨＤＭＩケーブル３００を介して行う例を説明したが、この第４の実施形態では、ＣＥＣでの制御信号の送受信を必要としないため、ＨＤＭＩ以外の通信規格のケーブル、例えば、ＶＧＡ規格のＶＧＡケーブルによりソース機１００とシンク機２００とを接続するシステムにも適用することができる。なお、ＶＧＡ規格の場合は、ＨＰＤライン３０７がないため、図６中に点線で示すＨＰＤ制御（Ｓ４０３）については実行されない。
【００６９】
＜第５の実施形態＞
図７は、第５の実施形態に係る信号送受信システムが実行するソース機の省電力移行防止制御の一例を示すシーケンスチャートである。ＨＤＭＩケーブルの接続から投影処理まで（Ｓ５０１〜Ｓ５０７）は、図３のＳ１０１〜Ｓ１０７にそれぞれ対応する処理であるため説明は省略する。
【００７０】
本実施形態では、ソース機１００の制御部１１６が、ＨＰＤ検知部１１１でＨＰＤがＨｉｇｈであることを認識している場合（Ｓ５０８：Ｙｅｓ）、省電力移行制御部１１７による省電力状態への移行の実行を不可とした状態で制御し（Ｓ５０９）、ＨＰＤがＬｏｗであることを認識している場合（Ｓ５０８：Ｎｏ）、省電力移行制御部１１７で省電力状態への移行が可能となるように制御する（Ｓ５１０）。
【００７１】
本実施形態に係る信号送受信システムによれば、ＨＰＤの状態に基づいて、ソース機がシンク機と接続されているか否かの判定を行うようにしているので、制御信号をやりとりすることなく、状態制御が可能となる。
【００７２】
尚、上述の実施形態は本発明の好適な実施の例ではあるがこれに限定されるものではなく、本発明の要旨を逸脱しない範囲において種々変形実施可能である。
【００７３】
例えば、省電力移行制御部１１７は、ソース機１００のモニター設定がシングルディスプレイとなっていない場合（ソース機１００以外の表示装置にも表示がなされる設定になっている場合）は、省電力状態への移行を不可とする制御をすることも好ましい。シングルディスプレイでない場合は、他の装置（シンク機）と接続されている可能性があり、シングルディスプレイである場合は、他の装置との接続はされていないと考えられるからである。
【００７４】
この場合も、ソース機の設定状態から判断して状態制御を行うので、制御信号をやりとりすることなく状態制御ができる。また、シンク機に接続はされているが、シンク機を使用していない場合に省電力状態に移行しない、ということを防ぐことができる。
【００７５】
例えば、上記実施形態では、省電力移行制御部１１７が省電力移行カウンタの値をリセットすることで、省電力移行処理が実行されない例を説明したが、省電力移行を防止する処理はこれに限られるものではなく、例えば、ソース機に省電力移行カウンタがリセットされるような処理（例えば、アプリケーションの起動、マウス操作、文字入力など）の実行をさせるものであっても良い。
【００７６】
また、上記実施形態では、１台のソース機と１台のシンク機が接続された信号送受信システムについて説明したが、ソース機とシンク機との間には、リピーター機（信号増幅装置、中継装置）が介在していてもよい。また、ソース機やシンク機は複数設けられていてもよい。
【００７７】
また、ソース機が情報処理装置、シンク機が画像投射装置である場合を例に説明したが、例えば、ソース機がＤＶＤプレーヤー、ブルーレイプレーヤー等の再生装置、シンク機がテレビ等の表示装置であっても良い。また、ソース機として情報処理装置、シンク機としてディスプレイ（モニター）などの表示装置を用いても良い。
【符号の説明】
【００７８】
１００  ソース機（信号出力装置）
１０１  ＨＤＭＩトランスミッター
１０２  映像信号
１０３  音声信号
１０４  制御／状態信号
１１０  ５Ｖ出力部
１１１  ＨＰＤ検知部
１１２  ＥＤＩＤ取得部
１１３  ＣＥＣ制御部
１１４  操作部
１１５  映像／音声生成部
１１６  制御部
１１７  省電力移行制御部
２００  シンク機（信号受信装置）
２０１  ＨＤＭＩレシーバー
２０２  映像信号
２０３  音声信号
２０４  制御／状態信号
２０５  ＥＤＩＤ記憶部
２１０  ５Ｖ検知部
２１１  ＨＰＤ制御部
２１２  ＣＥＣ制御部
２１３  制御部
２１４  省電力移行制御部
２１５  投影処理部
３００  ＨＤＭＩケーブル
３０１  ＴＭＤＳ＿Ｃｈａｎｎｅｌ＿０
３０２  ＴＭＤＳ＿Ｃｈａｎｎｅｌ＿１
３０３  ＴＭＤＳ＿Ｃｈａｎｎｅｌ＿２
３０４  ＴＭＤＳ＿Ｃｌｏｃｋ＿Ｃｈａｎｎｅｌ
３０５  ＤＤＣライン
３０６  ＣＥＣライン
３０７  ＨＰＤライン
３０８  ５Ｖライン
４００  信号送受信システム
【先行技術文献】
【特許文献】
【００７９】
【特許文献１】特開２０１０−８７６８６号公報
【図２】
2015082797.tif 000003
【図１】
2015082797.tif 000004
【図３】
2015082797.tif 000005
【図４】
2015082797.tif 000006
【図５】
2015082797.tif 000007
【図６】
2015082797.tif 000008
【図７】
2015082797.tif 000009